【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  互いに主走査方向及び副走査方向に間隔を有する複数の発光部を有する光源手段と、前記複数の発光部から出射した複数の光束の夫々の光束を主走査方向に長い線状の光束として結像させる入射光学手段と、
前記入射光学手段から入射された複数の光束を主走査方向に偏向走査する偏向手段と、
前記偏向手段の偏向面で偏向走査された複数の光束を被走査面上に結像させる結像光学手段と、前記偏向手段の偏向面で偏向走査された光束の一部である同期検知用の光束を前記被走査面上での光束の走査開始位置のタイミング信号として検出する同期検知手段と、
を有する走査光学装置において、
前記入射光学手段を構成する複数の光学素子のうち最も偏向手段側に近い光学素子と前記偏向手段との間の光路内に少なくとも主走査方向の光束幅を規制する開口絞りを配置しており、
主走査断面内において前記偏向手段の偏向面で偏向走査された同期検知用の光束は前記結像光学手段の光軸を中心として前記入射光学手段から前記偏向手段の偏向面に入射する光束と反対側に位置することを特徴とする走査光学装置。
【請求項２】  主走査断面内において前記結像光学手段の光軸と前記入射光学手段から前記偏向手段の偏向面に入射する光束との成す角度をα、主走査断面内において前記結像光学手段の光軸と前記偏向手段の偏向面で偏向走査された同期検知用の光束との成す角度をβとしたとき、
−β＜α
但し、前記角度の符号は、前記結像光学手段の光軸に対し前記入射光学手段から前記偏向手段の偏向面に入射する光束側に測った角度をプラスとする
なる条件を満足することを特徴とする請求項１記載の走査光学装置。
【請求項３】  更に
−β＜α≦９０°
なる条件を満足することを特徴とする請求項２記載の走査光学装置。
【請求項４】  前記偏向手段の偏向面で偏向走査された同期検知用の光束は走査画角の１／２より大きい範囲を通過することを特徴とする請求項１記載の走査光学装置。
【請求項５】  互いに主走査方向及び副走査方向に間隔を有する複数の発光部を有する光源手段と、前記複数の発光部から出射した複数の光束の夫々の光束を主走査方向に長い線状の光束として結像させる入射光学手段と、
前記入射光学手段から入射された複数の光束を主走査方向に偏向走査する偏向手段と、
前記偏向手段の偏向面で偏向走査された複数の光束を被走査面上に結像させる結像光学手段と、前記偏向手段の偏向面で偏向走査された光束の一部である同期検知用の光束を前記被走査面上での光束の走査開始位置のタイミング信号として検出する同期検知手段と、
を有する走査光学装置において、
前記入射光学手段を構成する複数の光学素子のうち最も偏向手段側に近い光学素子と前記偏向手段との間の光路内に少なくとも主走査方向の光束幅を規制する開口絞りを配置しており、
主走査断面内において前記偏向手段の偏向面で偏向走査された同期検知用の光束は前記入射光学手段から前記偏向手段の偏向面に入射する光束を中心として前記結像光学手段の光軸と反対側に位置することを特徴とする走査光学装置。
【請求項６】  主走査断面内において前記結像光学手段の光軸と前記入射光学手段から前記偏向手段の偏向面に入射する光束との成す角度をα、主走査断面内において前記結像光学手段の光軸と前記偏向手段の偏向面で偏向走査された同期検知用の光束との成す角度をβとしたとき、
α＜β
但し、前記角度の符号は、前記結像光学手段の光軸に対し前記入射光学手段から前記偏向手段の偏向面に入射する光束側に測った角度をプラスとする
なる条件を満足することを特徴とする請求項５記載の走査光学装置。
【請求項７】  更に
０．５β＜α＜β
なる条件を満足することを特徴とする請求項６記載の走査光学装置。
【請求項８】  請求項１乃至７の何れか１項記載の走査光学装置と、前記被走査面上に配置された感光ドラムを備えたことを特徴とする画像形成装置。
【手続補正２】
【補正対象書類名】明細書
【補正対象項目名】００１８
【補正方法】変更
【補正の内容】
【００１８】
【課題を解決するための手段】
請求項１の発明の走査光学装置は、互いに主走査方向及び副走査方向に間隔を有する複数の発光部を有する光源手段と、前記複数の発光部から出射した複数の光束の夫々の光束を主走査方向に長い線状の光束として結像させる入射光学手段と、
前記入射光学手段から入射された複数の光束を主走査方向に偏向走査する偏向手段と、
前記偏向手段の偏向面で偏向走査された複数の光束を被走査面上に結像させる結像光学手段と、前記偏向手段の偏向面で偏向走査された光束の一部である同期検知用の光束を前記被走査面上での光束の走査開始位置のタイミング信号として検出する同期検知手段と、
を有する走査光学装置において、
前記入射光学手段を構成する複数の光学素子のうち最も偏向手段側に近い光学素子と前記偏向手段との間の光路内に少なくとも主走査方向の光束幅を規制する開口絞りを配置しており、
主走査断面内において前記偏向手段の偏向面で偏向走査された同期検知用の光束は前記結像光学手段の光軸を中心として前記入射光学手段から前記偏向手段の偏向面に入射する光束と反対側に位置することを特徴としている。
【手続補正３】
【補正対象書類名】明細書
【補正対象項目名】００１９
【補正方法】変更
【補正の内容】
【００１９】
請求項２の発明は請求項１の発明において、主走査断面内において前記結像光学手段の光軸と前記入射光学手段から前記偏向手段の偏向面に入射する光束との成す角度をα、主走査断面内において前記結像光学手段の光軸と前記偏向手段の偏向面で偏向走査された同期検知用の光束との成す角度をβとしたとき、
−β＜α
但し、前記角度の符号は、前記結像光学手段の光軸に対し前記入射光学手段から前記偏向手段の偏向面に入射する光束側に測った角度をプラスとする
なる条件を満足することを特徴としている。
【手続補正４】
【補正対象書類名】明細書
【補正対象項目名】００２０
【補正方法】変更
【補正の内容】
【００２０】
請求項３の発明は請求項２の発明において、更に
−β＜α≦９０°
なる条件を満足することを特徴としている。
【手続補正５】
【補正対象書類名】明細書
【補正対象項目名】００２１
【補正方法】変更
【補正の内容】
【００２１】
請求項４の発明は請求項１の発明において、前記偏向手段の偏向面で偏向走査された同期検知用の光束は走査画角の１／２より大きい範囲を通過することを特徴としている。
【手続補正６】
【補正対象書類名】明細書
【補正対象項目名】００２２
【補正方法】変更
【補正の内容】
【００２２】
請求項５の発明の走査光学装置は、互いに主走査方向及び副走査方向に間隔を有する複数の発光部を有する光源手段と、前記複数の発光部から出射した複数の光束の夫々の光束を主走査方向に長い線状の光束として結像させる入射光学手段と、
前記入射光学手段から入射された複数の光束を主走査方向に偏向走査する偏向手段と、
前記偏向手段の偏向面で偏向走査された複数の光束を被走査面上に結像させる結像光学手段と、前記偏向手段の偏向面で偏向走査された光束の一部である同期検知用の光束を前記被走査面上での光束の走査開始位置のタイミング信号として検出する同期検知手段と、
を有する走査光学装置において、
前記入射光学手段を構成する複数の光学素子のうち最も偏向手段側に近い光学素子と前記偏向手段との間の光路内に少なくとも主走査方向の光束幅を規制する開口絞りを配置しており、
主走査断面内において前記偏向手段の偏向面で偏向走査された同期検知用の光束は前記入射光学手段から前記偏向手段の偏向面に入射する光束を中心として前記結像光学手段の光軸と反対側に位置することを特徴としている。
【手続補正７】
【補正対象書類名】明細書
【補正対象項目名】００２３
【補正方法】変更
【補正の内容】
【００２３】
請求項６の発明は請求項５の発明において、主走査断面内において前記結像光学手段の光軸と前記入射光学手段から前記偏向手段の偏向面に入射する光束との成す角度をα、主走査断面内において前記結像光学手段の光軸と前記偏向手段の偏向面で偏向走査された同期検知用の光束との成す角度をβとしたとき、
α＜β
但し、前記角度の符号は、前記結像光学手段の光軸に対し前記入射光学手段から前記偏向手段の偏向面に入射する光束側に測った角度をプラスとする
なる条件を満足することを特徴としている。
【手続補正８】
【補正対象書類名】明細書
【補正対象項目名】００２４
【補正方法】変更
【補正の内容】
【００２４】
請求項７の発明は請求項６の発明において、更に
０．５β＜α＜β
なる条件を満足することを特徴としている。
【手続補正９】
【補正対象書類名】明細書
【補正対象項目名】００２５
【補正方法】変更
【補正の内容】
【００２５】
請求項８の発明の画像形成装置は、請求項１乃至７の何れか１項記載の走査光学装置と、前記被走査面上に配置された感光ドラムを備えたことを特徴としている。
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】